(57)【特許請求の範囲】
【請求項１】
レンズアレイを用いた視差表示ディスプレイにおいて、シリンドリカルレンズを曲率を持つ方向に複数分割し、その複数の分割したレンズ（以下、分割レンズと記す）を曲率を持たない方向側に並べたものを分割レンズ群とし、それを曲率を持つ方向と曲率を持たない方向の２方向においてアレイ状に配置したレンズアレイと、その背面に視差情報を持つ画像を有する画像表示体を配置してなることを特徴とする視差表示ディスプレイ。
【請求項２】
前記視差情報の視差数が、２以上の整数を自乗した数値であることを特徴とする請求項１記載の視差表示ディスプレイ。
【請求項３】
前記分割レンズのレンズ作用を行う開口部以外を黒く塗りつぶすことを特徴とする請求項１又は２記載の視差表示ディスプレイ。
【請求項４】
前記画像表示体が、液晶表示パネルであることを特徴とする請求項１乃至３いずれか１項に記載の視差表示ディスプレイ。
【請求項５】
前記画像表示体が、印刷物であることを特徴とする請求項１乃至３いずれか１項に記載の視差表示ディスプレイ。
【発明の詳細な説明】
【０００１】
【発明の属する技術分野】
本発明は、レンズを用いた水平方向のみに視差情報を持つ画像を表示するディスプレイに係わり、特に、視点位置によって見える画像が変化する（チェンジング）ディスプレイや立体像を観察できる立体ディスプレイ等及びこれらのディスプレイを構成するレンズアレイに関するものである。
【０００２】
【従来の技術】
最も一般的な従来の視差表示ディスプレイは、レンチキュラー視差表示ディスプレイである。この視差表示ディスプレイの方式は、１９３２年にＨ．Ｅ．Ｉｖｅｓがレンチキュラーステレオの特許を取得している。
【０００３】
レンチキュラー視差表示ディスプレイは、図８に示すように、一方向しか曲率を持たないシリンドリカルレンズ１１を水平方向に配列させたディスプレイである。このレンズ１１の焦点面に視差画像をストライプ状に配置することで、レンチキュラー板１２を通して、視差画像を観察することができるという仕組みになっている。
【０００４】
前記の視差画像とは、立体像を表示する場合に於いては、右眼、左眼用の視差の付いている各々の画像のことを、チェンジングの画像の場合に於いては、チェンジする各々の画像のことをいう。
【０００５】
レンチキュラー視差表示ディスプレイの原理を、画像表示体が印刷物を例にして、以下に、詳細に説明する。
【０００６】
図８では、視差数が２像の２眼式視差表示ディスプレイであるので、前記の視差画像をＡ像９、Ｂ像１０とする。また、レンチキュラー視差表示ディスプレイを構成する１つのシリンドリカルレンズ１１のピッチをＰとする。
【０００７】
Ａ像９、Ｂ像１０を１つのシリンドリカルレンズ１１に収めるように、Ｐ／２の幅で細長く切断する。この切断した画像をＡ像９、Ｂ像１０交互にストライプ状に配置する。
【０００８】
シリンドリカルレンズ１１はディスプレイの水平方向に曲率を持つように配置してある。レンチキュラー板１２の背面に、前記のＡ像９、Ｂ像１０交互ストライプ像を配置すると、各レンズ作用によって、 Ａ像９とＢ像１０を分離して観察することが可能である。
【０００９】
図８は、２視差の２眼式レンチキュラー視差表示ディスプレイであるが、レンズピッチの制限範囲であれば、視差数を増やした多眼式のディスプレイも実現可能である。（図９参照）
【００１０】
以上のように、従来のレンチキュラー視差表示ディスプレイは、メガネなどの補助装置なしに視差数が多い立体像などを観察できる上、画像表示体に印刷物を用いることでフルカラーを、画像表示体に液晶パネルを用いることでフルカラー動画像も実現可能にした。
【００１１】
しかし、視差表示ディスプレイの背面に配置される液晶パネルや印刷物などの画像表示体は、通常、水平方向と垂直方向の解像度は、ほぼ等しい。
【００１２】
ここで、従来の視差表示ディスプレイは、水平方向に曲率を持つシリンドリカルレンズを水平方向に配列配置するので、垂直方向の見た目の画素の大きさが「視差画像１画素の大きさ」であることに対し、水平方向の見た目の画素の大きさは「視差画像１画素の大きさ×視差数」になっていた。
【００１３】
前記の見た目の画素とは、人間がある画像を観察したとき、画像の1画素として認識する画素のことである。例えば、垂直方向に視差がなく水平方向には９視差ある画像を考えると、図４（ａ）に示すように、垂直方向１画素２に対応する水平方向の画素３は９つである。ここで、人間が認識する１画素は、垂直方向に１画素２、水平方向に９画素分の大きさを有する画素４である。これを、見た目の画素と呼ぶ。
【００１４】
上記のように従来の視差表示ディスプレイは、背面に配置される画像表示体が水平方向と垂直方向の大きさが等しい正方形の画素を持っているので、ディスプレイ全体で考えると、水平方向と垂直方向の見た目の画素の大きさが等しくならない。
【００１５】
視差表示ディスプレイの水平方向と垂直方向の見た目の画素の大きさが等しくないことは、ディスプレイの水平方向と垂直方向の解像度バランスが取れていないことを意味する。
【００１６】
例えば、画像表示体が写真のように解像度が細かい画素を持つ表示体であれば、水平方向と垂直方向の見た目の画素の大きさの違いも細かくなるため、観察者に認識されない。しかし、液晶や印刷物等のように人間が認識可能な大きさを持つ画像表示体であれば、水平方向と垂直方向の見た目の画素の大きさが等しくないことは、観察者の見え方に大きく影響する。
【００１７】
ディスプレイ全体で水平方向と垂直方向の見た目の画素の大きさを等しくするためには、画像表示体の画素自身の水平方向と垂直方向の大きさを任意の比率にすれば良いのだが、技術的に難しいのに加え、各視差数によって、比率を変化しなくてはならないため、手間やコストもかかり、なかなか実現できない。
【００１８】
そのため、視差表示ディスプレイ全体の水平方向と垂直方向の解像度バランスを取るため、水平方向と垂直方向の見た目の画素の大きさを等しく保つ必要がある。
【００１９】
―方、ディスプレイ全体で高解像度を保つために、水平方向と垂直方向の見た目の画素の大きさをほぼ等しく保つ場合、視差数が極めて少なくなるという問題が生じる。
【００２０】
前記の問題は、「垂直方向の見た目の画素の大きさ」：「水平方向の見た目の画素の大きさ」＝「視差画像１画素の大きさ」：「視差画像１画素の大きさ×視差数」という関係があるので、水平方向と垂直方向の見た目の画素の大きさは、視差数を増やせば増やす程、バランスが崩れていくことが原因である。
【００２１】
従来の視差表示ディスプレイに用いるシリンドリカルレンズは、曲率を持つ方向と曲率を持たない方向の見た目の画素の大きさが等しくないため、曲率を持つ方向と曲率を持たない方向の解像度バランスが非常に悪かった。
【００２２】
また、従来のレンズを用いた視差表示ディスプレイに用いるシリンドリカルレンズは、視差数を増やせば増やすほど、曲率を持つ方向と曲率を持たない方向の見た目の画素の大きさのバランスが崩れるため、曲率を持つ方向と曲率を持たない方向の解像度バランスが更に悪くなった。
【００２３】
【発明が解決しようとする課題】
以上のように、従来の視差表示ディスプレイに於いては、水平方向と垂直方向の見た目の画素の大きさが異なるため、水平方向の解像度が低いという問題があった。
【００２４】
同時に、水平方向と垂直方向の見た目の画素の大きさをほぼ等しく保つ為には、視差数が極めて少なくなるという問題があった。
【００２５】
本発明は上記のような課題を解決するために成されたもので、水平方向と垂直方向の見た目の画素の大きさををほぼ等しくすることで解像度バランスを保ち、尚かつ視差数を増やすことが可能な高解像度視差表示ディスプレイを提供することを目的とする。
【００２６】
【課題を解決するための手段】
上記の課題を解決するために、請求項１記載の発明は、
レンズアレイを用いた視差表示ディスプレイにおいて、シリンドリカルレンズを曲率を持つ方向に複数分割し、その分割したレンズ（以下、分割レンズと記す）を曲率を持たない方向側に並べたものを分割レンズ群とし、それをアレイ状に配置したレンズアレイと、その背面に視差情報を持つ画像を有する画像表示体を配置してなることを特徴とする視差表示ディスプレイである。
【００２７】
また、請求項２記載の発明は、
請求項１記載の視差表示ディスプレイにおいて、前記視差情報の視差数が、２以上の整数を自乗した数値であることを特徴とする。これによって、水平方向と垂直方向の見た目の画素の大きさをほぼ等しくすることができる。
【００２８】
また、請求項３記載の発明は、
請求項１又は２記載の視差表示ディスプレイにおいて、前記分割レンズのレンズ作用を行う開口部以外を黒く塗りつぶすことを特徴とする。これによって、
コントラストが向上する。
【００２９】
また、請求項４記載の発明は、
請求項１乃至３いずれか１項に記載の視差表示ディスプレイにおいて、前記画像表示体が、液晶表示パネルであることを特徴とする。
【００３０】
また、請求項５記載の発明は、
請求項１乃至３いずれか１項に記載の視差表示ディスプレイにおいて、前記画像表示体が、印刷物であることを特徴とする。
【００３１】
また、請求項６記載の発明は、
視差表示ディスプレイに用いるレンズアレイにおいて、曲率を持つ方向を水平方向に配置したシリンドリカル水平方向に複数分割し、その分割したレンズを垂直方向側に並べた分割レンズ群をアレイ状に配置したことを特徴とするレンズアレイである。
【００３２】
また、請求項７記載の発明は、
請求項６記載のレンズアレイにおいて、前記分割レンズ群が、正方形の外形形状を有することを特徴とする。
【００３３】
また、請求項８記載の発明は、
請求項６又は７記載のレンズアレイにおいて、前記シリンドリカルレンズの曲率を持つ方向の断面形状が、非球面形状を有することを特徴とする。
【００３４】
〈作用〉
本発明の分割レンズ群アレイを用いる視差表示ディスプレイに於いては、シリンドリカルレンズを曲率を持つ方向に複数分割し、その分割レンズを曲率を持たない方向側に並び替えることによって、分割レンズ群アレイの水平方向と垂直方向の見た目の画素の大きさが等しくなり、従来の水平方向と垂直方向の見た目の画素の大きさが等しくないディスプレイと比較すると、水平方向の悪い解像度を基準としないため、高解像度の視差表示が実現可能である。
【００３５】
視差数が、４、９、１６・・・等、２以上の整数を自乗した数値であれば、分割レンズ群の水平方向と垂直方向の見た目の画素の大きさが等しくなる。よって、分割レンズ群をアレイ状に配置した本発明視差表示ディスプレイに於いては、水平方向と垂直方向の見た目の画素の大きさが等しくなるので、従来の水平方向と垂直方向の見た目の画素が等しくないディスプレイと比較すると、水平方向の悪い解像度を基準としないため、より高解像度の視差表示ディスプレイが実現可能である。
【００３６】
以下、本発明の視差表示ディスプレイに用いる分割レンズ群アレイと従来の視差表示ディスプレイに用いるシリンドリカルレンズについて比較し、説明する
【００３７】
本発明の視差表示ディスプレイに用いる分割レンズ群アレイに於いては、シリンドリカルレンズを曲率を持つ方向に複数分割し、その分割レンズを曲率を持たない方向側に並び替えることによって、分割レンズ群の水平方向と垂直方向の見た目の画素が等しくなるので、曲率を持つ方向と曲率を持たない方向の解像度バランスがほぼ等しくなる。
【００３８】
従って、この分割レンズ群をアレイ状に配置した本発明視差表示ディスプレイは、曲率を持つ水平方向と曲率を持たない垂直方向の解像度バランスがほぼ等しくなるので、高解像度の視差表示ディスプレイが実現可能である。
【００３９】
本発明の分割レンズ群の外形形状が正方形になる場合は、視差数が、４、９、１６・・・等、２以上の整数を自乗した数値である。この場合、分割レンズ群の水平方向と垂直方向の見た目の画素の大きさが完全に等しくなるので、従来の水平方向と垂直方向の見た目の画素が等しくない視差表示ディスプレイを構成するシリンドリカルレンズと比較すると、水平方向の悪い解像度を基準としないため、より高解像度の視差表示ディスプレイが実現可能である。
【００４０】
本発明の分割レンズ群アレイ視差表示ディスプレイに於いて、シリンドリカルレンズを曲率を持つ水平方向に複数分割し、垂直方向側に並び替える分割レンズ群を用いることで、同じ視域を持つ従来のディスプレイと比較すると、ディスプレイ面に於いて垂直方向側に水平方向の視差を並べることが可能なため、より多くの分割レンズ群を配置することができ、より高解像度の視差表示ディスプレイが実現可能である。
【００４１】
また、本発明の分割レンズ群アレイ視差表示ディスプレイに於いて、シリンドリカルレンズを曲率を持つ水平方向に複数分割し、垂直方向側に並び替える分割レンズ群を用いることで、同じ視域を持つ従来のディスプレイと比較すると、同等の解像度を実現する場合でも、ディスプレイ面に於いて水平方向に空間的な余裕ができるため、曲率の小さなレンズを用いてより多くの画素を使用することができ、視差数を増やすことが可能である。
【００４２】
従って、視差数が多いため滑らかな立体画像を形成することができ、より立体感がある画像を観察することが可能である。
【００４３】
【発明の実施の形態】
本発明は、レンズアレイを用いた視差表示ディスプレイに於いて、シリンドリカルレンズを曲率を持つ水平方向に複数分割し、その分割レンズを曲率を持たない垂直方向側に並べ替えた分割レンズ群をアレイ状に配置することにより、水平方向と垂直方向の見た目の画素の大きさをほぼ等しくするため、ディスプレイ全体の解像度バランスを整え、従来の同じ視域を持つ同視差数のディスプレイと比較すると、高解像度視差情報ディスプレイを実現可能にするものである。
【００４４】
本発明は、レンズアレイを用いた視差表示ディスプレイに於いて、シリンドリカルレンズを曲率を持つ水平方向に複数分割し、その分割レンズを曲率を持たない垂直方向側に並べ替えた分割レンズ群をアレイ状に配置することにより、水平方向と垂直方向の見た目の画素の大きさをほぼ等しくするため、ディスプレイ全体の解像度バランスを整え、従来の同じ視域を持つ同解像度のディスプレイと比較すると、多視差像を有する高解像度視差情報ディスプレイを実現可能にするものである。
【００４５】
以下、上記のような考え方に基づく本発明に係わるレンズアレイを用いた視差表示ディスプレイについて、視差画像側を基準として、詳細に説明する。
【００４６】
画像表示体に液晶表示パネルを使用した場合、図３に示すように、従来の視差表示ディスプレイを構成する各シリンドリカルレンズを垂直方向に液晶表示パネル上で１画素分だけ取り出し、水平方向に複数分割する。
【００４７】
図１に示すように、水平方向の分割数は、「液晶表示パネル上での１画素８＝視差画像の画素」であるので、基本的には、視差画像の画素数毎に分割し、適当に配置してレンズ群５を構成する。
【００４８】
しかし、図２に於いては、視差画像の３画素分を１つの分割レンズ１として垂直方向へ並べ替えることで、レンズの分割数を減らしている。
【００４９】
このように、分割レンズの曲率を持たない垂直方向への並び替えの方法により、必ずしも視差画像の画素数毎に分割しなくても良い。
【００５０】
視差表示ディスプレイを構成するリンドリカルレンズを曲率を持つ水平方向に複数分割した各々の分割レンズ１を、水平方向と垂直方向の見た目の画素の大きさ６、７がほぼ等しくなるように、曲率を持たない垂直方向側に並び替え、分割レンズ群５を形成する。
【００５１】
図４に示すように、視差数が４、９、１６・・・等、２以上の整数を自乗した数値であれば、分割レンズ群は水平方向と垂直方向の見た目の画素の大きさ６、７が等しくなるため、正方形の外形形状になる。
【００５２】
図５に示すように、視差数が４、９、１６・・・等、２以上の整数を自乗した数値でなければ、分割レンズ群は水平方向と垂直方向の見た目の画素の大きさ６、７が等しくならないため、長方形の外形形状になる。
【００５３】
しかし、視差数が４、９、１６・・・等、２以上の整数を自乗した数値でない場合も、分割レンズ群の水平方向と垂直方向の見た目の画素の大きさがほぼ等しければ、ディスプレイ全体の解像度を高解像度に保てるため、観察者が悪い解像度と認識するという問題は生じない。
【００５４】
ここで、前記記述の正方形或いは長方形の分割レンズ群が、視差情報ディスプレイ全体に於いて、見た目の１画素に相当することになる。
【００５５】
よって、前記記述の正方形或いは長方形の分割レンズ群をアレイ状に配置することで、水平方向と垂直方向の見た目の画素の大きさがほぼ等しい視差情報ディスプレイを形成でき、水平方向と垂直方向の解像度バランスが取れた高解像度の視差表示ディスプレイが実現可能になる。
【００５６】
画像表示体が印刷物であっても、同様に、水平方向と垂直方向の見た目の画素の大きさを等しくすることによって、水平方向と垂直方向の見た目の解像度バランスが取れた高解像度の視差表示ディスプレイが実現可能になる。
【００５７】
以上のことを、例を用いて簡単に説明する。画像表示体に用いる印刷物の１画素を０．１ｍｍとし、９視差の場合の視差表示ディスプレイを考える。
【００５８】
従来の視差表示ディスプレイでは、垂直方向に１視差＝０．１ｍｍ、水平方向に９視差＝０．９ｍｍである。よって、見た目の画素の大きさは、０．１×０．９ｍｍであり、垂直方向、水平方向の解像度バランスも悪く、画素の大きさとして考えても非常に荒い。
【００５９】
本発明による視差表示ディスプレイに於いては、前記の見た目の画素を水平方向に３分割し、垂直方向に配置するため、０．３×０．３ｍｍの見た目の画素の大きさにできる。これは、垂直方向、水平方向の解像度バランスも取れ、、画素の大きさも細かく、分解能の範囲に収まることが可能であり、高解像度の視差表示ディスプレイを提供できる。
【００６０】
以下、視差数と解像度に着目して、本発明による視差表示ディスプレイと従来の視差表示ディスプレイを比較し、詳細に説明する。
【００６１】
従来は、「垂直方向の見た目の画素の大きさ」：「水平方向の見た目の画素の大きさ」＝「視差画像１画素の大きさ」：「視差画像１画素の大きさ×視差数」という関係から、水平方向と垂直方向の見た目の画素の大きさをほぼ等しくするためには、視差は得ることができない。
【００６２】
前記のことから、従来のレンズを用いる視差表示ディスプレイは、水平方向に視差を持たせるため、水平方向と垂直方向の見た目の画素を等しくすることは不可能であった。
【００６３】
しかしながら、本発明による視差表示ディスプレイでは、水平方向と垂直方向の見た目の画素の大きさをほぼ等しく保ちながら、視差数を増やすことが可能である。
【００６４】
以下、画像表示体を１画素ピッチ０．２ｍｍの液晶パネルとし、シリンドリカルレンズの水平方向ピッチが１．８ｍｍの水平サイズが１８０ｍｍの視差表示ディスプレイを例として、水平方向と垂直方向の見た目の画素の大きさをほぼ等しく保ちながら、視差数を増やすことが可能な原理を説明する。
【００６５】
ディスプレイの水平サイズが１８０ｍｍの視差表示ディスプレイでは、水平方向には１８０ｍｍ×０．２ｍｍ＝９００画素の液晶表示パネルを使用していることが分かる。通常「液晶表示パネル上での１画素＝視差画像の画素」であるので、シリンドリカルレンズの曲率を持つ水平方向のピッチが１．８ｍｍであるから、１．８ｍｍ÷０．２ｍｍ＝９となり、視差数が９像となる。よって、従来の垂直方向１画素分シリンドリカルレンズの見た目の画素の大きさは、水平方向が１．８ｍｍ、垂直方向が０．２ｍｍである。
【００６６】
視差数を固定として考えると、前記の垂直方向１画素分シリンドリカルレンズを分割し並び替えるので、本発明による分割レンズ群は、水平方向０．６ｍｍ、垂直方向０．６ｍｍの大きさとなる。即ち、図４（ｂ）に示すように、「液晶表示パネル上での３画素×液晶表示パネル上での３画素」の大きさとなる。これが見た目の画素の大きさとなる。
【００６７】
従来のディスプレイを構成するシリンドリカルレンズは、水平方向に１．８ｍｍ（液晶パネル上で９画素分）であるのに対し、本発明による分割レンズ群では、水平方向に０．６ｍｍ（液晶パネル上で３画素分）であるので、水平方向に０．９ｍｍ（液晶パネル上で６画素分）短くなっていることが分かる。この空間に、分割レンズ群を２つ並べることが可能であるので、水平方向の解像度は３倍となり、水平方向と垂直方向の見た目の画素の大きさが等しい高解像度視差表示ディスプレイを作成することが可能である。
【００６８】
一方、解像度を固定として考えると、水平方向に１．８ｍｍのピッチを持つシリンドリカルレンズでは、水平方向に液晶パネル上で９画素を使用することとなり、分割レンズ群の水平方向と垂直方向の見た目の画素の大きさを等しくするため、垂直方向にも液晶パネル上で９画素分とる必要がある。
【００６９】
視差数は、「水平方向の液晶パネルの画素数×垂直方向の液晶パネルの画素数」となるので、前記の場合、９×９＝８１視差とることが可能である。従来のディスプレイでは、９×１＝９視差であったので、比較すると９倍の視差数をとることが可能である。
【００７０】
以上のことから、解像度と視差数をバランス良く取ることで、本発明の分割レンズ群アレイ視差表示ディスプレイは、従来の視差表示ディスプレイに比べ、高解像度を保ちながら、視差数を多くとる視差表示ディスプレイを実現可能とする。
【００７１】
前記では３×３＝９視差を例にあげたが、それに限定されるものではなく、視差数が、４、９、１６・・・等、２以上の整数を自乗した数値であれば、分割レンズ群の水平方向と垂直方向の見た目の画素の大きさが、完全に等しくなる。よって、分割レンズ群をアレイ状に配置した本発明視差表示ディスプレイに於いては、水平方向と垂直方向の見た目の画素の大きさが等しくなるので、従来の水平方向と垂直方向の見た目の画素が等しくないディスプレイと比較すると、水平方向の悪い解像度を基準としないため、より高解像度の視差表示ディスプレイが実現可能である。
【００７２】
視差数が４、９、１６・・・等、２以上の整数を自乗した数値でなくても、分割レンズ群の水平方向と垂直方向の見た目の画素の大きさがほぼ等しければ、従来の視差表示ディスプレイより解像度バランスが取れているので、悪い解像度を基準としないため、高解像度の視差表示が実現可能である。
【００７３】
図６に示すように、本発明の分割レンズ群の構造として、シリンドリカルレンズを分割し並べ替えることにより、光学特性に関係する開口部以外の断面領域１３が作られる。これは、従来のシリンドリカルレンズには発生しない領域である。この領域１３に関係して、レンズ内部での光の多重反射などの迷光のような悪影響が生じる可能性がある。よって、この断面領域１３を黒く塗りつぶすことにより、前記記載の悪影響を防ぐことか可能であり、更にコントラストを向上させる視差表示ディスプレイが実現可能である。
【００７４】
ここで、断面領域１３を塗りつぶす材料は、光を遮るものであれば何でも良いが、例として、黒色顔料、黒色染料、金属酸化物などがあげられる。
【００７５】
図７に示すように、本発明の視差表示ディスプレイを構成する分割レンズ群の基となるシリンドリカルレンズの曲率を持つ方向の断面形状を非球面形状にすると、断面形状が球面形状のものより、分割レンズ群の凸凹の差15を小さくすることができるため、迷光などの影響を少なく抑えることができるので、より高精度のディスプレイの形成が実現可能となる。
【００７６】
更に、シリンドリカルレンズの曲率を持つ方向の断面形状を非球面形状にした場合は、球面形状と比較すると、レンズ厚さ１７が薄い状態で光学特性を満たすことができるため、より高精度のディスプレイの形成が実現可能となる。
【００７７】
【発明の効果】
本発明の視差表示ディスプレイでは、水平方向と垂直方向の見た目の画素の大きさをほぼ等しくできるため、従来のディスプレイと比較すると、高解像度視差表示ディスプレイが実現可能となった。
【００７８】
また、同じサイズの従来のディスプレイと比較すると、視差数も多くとれるため、より滑らかな立体感のある画像を観察することが実現可能となった。
【００７９】
更に、図７に示すように、視差表示ディスプレイを構成するシリンドリカルレンズの曲率を持つ方向の断面形状を非球面形状にすると、分割レンズの凸凹差１５が小さくでき、迷光の影響を抑えることができるため、より高精度のディスプレイの形成が可能となった。また、非球面形状の場合は球面形状と比べより薄型のディスプレイの形成が可能となるため、コストダウンの効果がある。
【００８０】
加えて、図６に示すように、分割レンズ群の開口部以外の断面領域１３を黒く塗りつぶすことにより迷光を防ぐため、コントラスト向上の効果がある。
【図面の簡単な説明】
【図１】視差表示ディスプレイを構成するシリンドリカルレンズを、垂直方向に１画素分取り出したもの（ａ）と、それを曲率を持つ水平方向に複数分割し、水平方向と垂直方向の見た目の画素数が等しくなるように並べ替えた分割レンズ群（ｂ）の概略図である。
【図２】視差表示ディスプレイを構成するシリンドリカルレンズを、垂直方向に１画素分取り出したもの（ａ）と、それを曲率を持つ水平方向に視差数で分割し、水平方向と垂直方向の見た目の画素数が等しくなるように並べ替えた分割レンズ群（ｂ）の概略図である。
【図３】従来のレンチキュラー視差表示ディスプレイと、従来の視差表示ディスプレイから垂直方向に１画素分取り出した分割レンズ群を作成する基本となるレンズの概略図である。
【図４】視差数が４、９、１６・・・等、２以上の整数を自乗した数値の場合、従来のシリンドリカルレンズと本発明による分割レンズ群の背面に配置する画素並び替えを表した概略図である。
【図５】視差数が４、９、１６・・等、２以上の整数を自乗した数値ではない場合、従来のシリンドリカルレンズと本発明による分割レンズ群の背面に配置する画素並び替えを表した概略図である。
【図６】本発明による分割レンズ群のレンズ作用を行う開口部以外の断面領域を黒く塗りつぶした概略図である。
【図７】視差表示ディスプレイを構成するシリンドリカルレンズの曲率を持つ方向の断面形状を球面形状にした場合の分割レンズ群の断面図（ａ）と、シリンドリカルレンズの曲率を持つ方向の断面形状を非球面形状にした場合の分割レンズ群の断面図（ｂ）である。
【図８】従来の２視差の２眼式レンチキュラー視差表示ディスプレイの上面図である。
【図９】従来の９眼式レンチキュラー視差表示ディスプレイの概略図である。
【符号の説明】
１…分割レンズ
２…垂直方向の画素及び従来の見た目の画素の大きさ
３…水平方向の視差画像の画素の大きさ
４…従来の水平方向の見た目の画素の大きさ
５…分割レンズ群
６…本発明による垂直方向の見た目の画素の大きさ
７…本発明による水平方向の見た目の画素の大きさ
８…画像表示体に表示される視差画像の画素
９…視差画像Ａ像
１０…視差画像Ｂ像
１１…従来のシリンドリカルレンズ
１２…従来のレンチキュラー視差表示ディスプレイ
１３…黒く塗りつぶされた開口部以外の断面領域
１４…シリンドリカルレンズの曲率を持つ方向の断面形状を球面形状に
した場合の分割レンズの凸凹の差
１５…シリンドリカルレンズの曲率を持つ方向の断面形状を非球面形状
にした場合の分割レンズの凸凹の差
１６…シリンドリカルレンズの曲率を持つ方向の断面形状を球面形状に
した場合の分割レンズの厚さ
１７…シリンドリカルレンズの曲率を持つ方向の断面形状を非球面形状
にした場合の分割レンズの厚さ
【図１】
0004568932.tif 000002
【図２】
0004568932.tif 000003
【図３】
0004568932.tif 000004
【図４】
0004568932.tif 000005
【図５】
0004568932.tif 000006
【図６】
0004568932.tif 000007
【図７】
0004568932.tif 000008
【図８】
0004568932.tif 000009
【図９】
0004568932.tif 000010